(57)【要約】  【解決手段】  ヘッド本体および少なくとも一個の減衰部材が含まれる。ヘッド本体には少なくとも一個の組立孔が設けられ、組立孔には雌ねじが設けられる。減衰部材には雄ねじと凹欠部が設けられ、凹欠部に振動吸収部材を収容することができる。減衰部材は雄ねじを利用してヘッド本体の組立孔の雌ねじに螺設し結合することにより、ゴルフクラブヘッドを組み立てることができるため、減衰部材の振動吸収部材によりゴルフクラブヘッドの打球の振動を吸収することができるように構成されている。  【効果】  螺設の方式を利用して減衰部材をヘッド本体に結合し、減衰部材に振動吸収部材（と重り嵌入部材）を設けることができるため、振動吸収の効果、組立の便利性と組立の信頼性を高めることができる。【選択図】    図１
2006122334.tif 000002
【特許請求の範囲】
【請求項１】
ヘッド本体（２）、少なくとも一個の減衰部材（３）および振動吸収部材（３３）により構成されるゴルフクラブヘッドの振動吸収構造であって、ヘッド本体（２）には少なくとも一個の組立孔（２１）が設けられ、減衰部材（３）には凹欠部（３２）が設けられ、振動吸収部材（３３）は減衰部材（３）の凹欠部（３２）の内部に収容され、減衰部材（３）はヘッド本体（２）の組立孔（２１）の内部に組立て結合されることにより、ゴルフクラブヘッドが組成され、さらに振動吸収部材（３３）により上記ゴルフクラブヘッドの打球の振動を吸収することができるゴルフクラブヘッドの振動吸収構造。
【請求項２】
減衰部材（３）はボルトの形状に形成されると共に、減衰部材（３）には雄ねじ（３１）が設けられ、さらにヘッド本体（２）の組立孔（２１）内周壁には雌ねじ（２２）が設けられ、減衰部材（３）は雄ねじ（３１）により組立孔（２１）の雌ねじ（２２）に螺設し結合されることを特徴とする請求項１記載のゴルフクラブヘッドの振動吸収構造。
【請求項３】
振動吸収部材（３３）は振動吸収の減衰材質により製成され、例えばエポキシ樹脂、ポリウレタン、ゴム、熱可塑性弾性材、発泡材、発泡性樹脂、ポリエチレン、ポリアミドおよびその混合物により製成することを特徴とする請求項１記載のゴルフクラブヘッドの振動吸収構造。
【請求項４】
減衰部材（３）には他に複数個の解除部（３４）が設けられ、解除部（３４）により減衰部材（３）を回動させることができることを特徴とする請求項１記載のゴルフクラブヘッドの振動吸収構造。
【請求項５】
減衰部材（３）には他に凹欠部（３２）の内部において少なくとも一個の重り嵌入部材（３５）が増設され、さらに振動吸収部材（３３）は少なくとも重り嵌入部材（３５）を部分的に包み埋めるように形成されることを特徴とする請求項１記載のゴルフクラブヘッドの振動吸収構造。
【請求項６】
重り嵌入部材（３５）の一端は凹欠部（３２）の内底面に当接するように形成され、さらに他端は振動吸収部材（３３）の外部まで露出するように形成されることを特徴とする請求項５記載のゴルフクラブヘッドの振動吸収構造。
【請求項７】
重り嵌入部材（３５’）は全体的に凹欠部（３２）の内底面に嵌設され、さらに振動吸収部材（３３）により完全に包み埋められるように形成されることを特徴とする請求項５記載のゴルフクラブヘッドの振動吸収構造。
【請求項８】
重り嵌入部材（３５”）は振動吸収部材（３３）により完全に包み埋められ、さらに重り嵌入部材（３５”）は凹欠部（３２）の内周壁とは接触しないように形成されることを特徴とする請求項５記載のゴルフクラブヘッドの振動吸収構造。
【請求項９】
減衰部材（３）の凹欠部（３２）の内周壁には他に雌ねじ（３２１）が設けられ、さらに振動吸収部材（３３）の外周壁には対応するように雄ねじ（３３１）が設けられることにより、振動吸収部材（３３）は取外自在に凹欠部（３２）の内部に結合されることができることを特徴とする請求項５記載のゴルフクラブヘッドの振動吸収構造。
【請求項１０】
振動吸収部材（３３）により部分的に包み埋められた重り嵌入部材（３５）の一端には他に複数個の解除部（３５１）が設けられることを特徴とする請求項９記載のゴルフクラブヘッドの振動吸収構造。
【発明の詳細な説明】
【技術分野】
【０００１】
本発明は、ゴルフクラブヘッドの振動吸収構造に関するもので、特にヘッド本体に減衰部材を螺設して結合し、減衰部材によりヘッド本体の振動吸収の能力を高めることができると共に、組立が大変便利になるゴルフクラブヘッドの振動吸収構造に係るものである。
【背景技術】
【０００２】
従来のゴルフクラブヘッドの振動吸収構造としては、ヘッド本体、少なくとも一個の弾性体および複数個の重り球体が含まれ、ヘッド本体には少なくとも一個の組立孔が設けられ、組立孔に弾性体を嵌設することができ、さらに弾性体の内表面には複数個のめくら孔が設けられ、めくら孔に適量な重り球体を嵌設することにより、弾性体と重り球体によりゴルフクラブヘッドの全体の重心の位置を調整することができると共に、全体の振動吸収の効果を増やすことができるようにとしたものがある（例えば、特許文献１を参照）。
【特許文献１】アメリカ特許番号第６，４０９，６１２号
【発明の開示】
【発明が解決しようとする課題】
【０００３】
上記のような従来のゴルフクラブヘッドの振動吸収構造においては、弾性体は弾性を有すると共に、変形し易いため、例えば機械性による固定または化学性による粘着を利用して弾性体を組立孔に結合しても、弾性体は打球時において一時的な弾性変形が生じ易いため、弾性体と組立孔との結合の信頼性に影響を及ぼしてしまうという問題点があった。また、上記のような従来の結合の構造では、恒常的に重り球体の種類と数量を取り替えるのにその取り外しが大変面倒であるという問題点があった。また、弾性体は比重が軽いだけではなく、体積も大きいため、重り球体の重りとしての効果を大幅に下げてしまうという問題点があった。さらに、重り球体はめくら孔の内部において転がし易いため、打球時における異音が生じてしまうという問題点があった。このように、上記のような従来のゴルフクラブヘッドの振動吸収構造をさらに改良しなければならない。
【０００４】
本発明はこのような問題点に鑑みて発明したものであって、その目的とするところは、螺設の方式を利用して減衰部材をヘッド本体に結合し、減衰部材に振動吸収部材（と重り嵌入部材）を設けることができるため、振動吸収の効果、組立の便利性と組立の信頼性を高めることができるゴルフクラブヘッドの振動吸収構造を提供しようとするものである。
【０００５】
本発明の第一の目的は、螺設の方式を利用して減衰部材をヘッド本体に結合し、減衰部材の内部に振動吸収部材を設けることにより、振動吸収の効果、組立の便利性と組立の信頼性を高めることができると共に、打球の音声周波を改善することができるゴルフクラブヘッドの振動吸収構造を提供しようとするものである。
【０００６】
本発明の第二の目的は、螺設の方式を利用して減衰部材をヘッド本体に結合し、減衰部材の内部に振動吸収部材と重り嵌入部材を設けることにより、振動吸収の効果と重りの設置の自由度を増やすことができるゴルフクラブヘッドの振動吸収構造を提供しようとするものである。
【０００７】
本発明の第三の目的は、螺設の方式を利用して減衰部材をヘッド本体に結合し、減衰部材の内部に振動吸収部材と重り嵌入部材を取外自在に設けることにより、組立の便利性と重りの設置の自由度を増やすことができるゴルフクラブヘッドの振動吸収構造を提供しようとするものである。
【課題を解決するための手段】
【０００８】
上記目的を達成するために、本発明によるゴルフクラブヘッドの振動吸収構造は、下記のようになるものである。すなわち、
ヘッド本体、少なくとも一個の減衰部材および振動吸収部材により構成される。ヘッド本体には少なくとも一個の組立孔が設けられる。減衰部材には凹欠部が設けられる。振動吸収部材は減衰部材の凹欠部の内部に収容される。減衰部材はヘッド本体の組立孔の内部に組立て結合されることにより、ゴルフクラブヘッドが組成され、さらに振動吸収部材により上記ゴルフクラブヘッドの打球の振動を吸収することができる。
【０００９】
本発明によるゴルフクラブヘッドの振動吸収構造は、減衰部材はボルトの形状に形成されると共に、減衰部材には雄ねじが設けられ、さらにヘッド本体の組立孔内周壁には雌ねじが設けられ、減衰部材は雄ねじにより組立孔の雌ねじに螺設し結合されることもできる。また、振動吸収部材は振動吸収の減衰材質により製成され、例えばエポキシ樹脂、ポリウレタン、ゴム、熱可塑性弾性材、発泡材、発泡性樹脂、ポリエチレン、ポリアミドおよびその混合物により製成することもできる。また、減衰部材には他に複数個の解除部が設けられ、解除部により減衰部材を回動させることもできる。また、減衰部材には他に凹欠部の内部において少なくとも一個の重り嵌入部材が増設され、さらに振動吸収部材は少なくとも重り嵌入部材を部分的に包み埋めるように形成されることもできる。また、重り嵌入部材の一端は凹欠部の内底面に当接するように形成され、さらに他端は振動吸収部材の外部まで露出するように形成されることもできる。また、重り嵌入部材は全体的に凹欠部の内底面に嵌設され、さらに振動吸収部材により完全に包み埋められるように形成されることもできる。また、重り嵌入部材は振動吸収部材により完全に包み埋められ、さらに重り嵌入部材は凹欠部の内周壁とは接触しないように形成されることもできる。また、減衰部材の凹欠部の内周壁には他に雌ねじが設けられ、さらに振動吸収部材の外周壁には対応するように雄ねじが設けられることにより、振動吸収部材は取外自在に凹欠部の内部に結合されることもできる。また、振動吸収部材により部分的に包み埋められた重り嵌入部材の一端には他に複数個の解除部が設けられることもできる。
【発明の効果】
【００１０】
本発明のゴルフクラブヘッドの振動吸収構造によれば、螺設の方式を利用して減衰部材をヘッド本体に結合し、減衰部材の内部に振動吸収部材を設けることにより、振動吸収の効果、組立の便利性と組立の信頼性を高めることができると共に、打球の音声周波を改善することができるという利点がある。
【００１１】
本発明のゴルフクラブヘッドの振動吸収構造によれば、螺設の方式を利用して減衰部材をヘッド本体に結合し、減衰部材の内部に振動吸収部材と重り嵌入部材を設けることにより、振動吸収の効果と重りの設置の自由度を増やすことができるという利点がある。
【００１２】
本発明のゴルフクラブヘッドの振動吸収構造によれば、螺設の方式を利用して減衰部材をヘッド本体に結合し、減衰部材の内部に振動吸収部材と重り嵌入部材を取外自在に設けることにより、組立の便利性と重りの設置の自由度を増やすことができるという利点がある。
【発明を実施するための最良の形態】
【００１３】
本発明の実施の形態について、以下、図面を参照して説明する。
【実施例１】
【００１４】
図１を参照すると、本発明の実施例１のゴルフクラブヘッドの振動吸収構造にはヘッド本体２および少なくとも一個の減衰部材３が含まれる。ヘッド本体２は例えばステンレス、炭素鋼、合金鋼、フェロ−マンガン−アルミ合金などの金属材料または炭素繊維などの非金属から選ぶことができ、そして例えば鋳造、鍛造または機械加工などの方式により製成することができる。ヘッド本体２は一般的なウッド型ヘッドの基本構造を有するため、ここでは再び詳細に叙述せず、しかし、ヘッド本体２には適当な位置においてさらに少なくとも一個の組立孔２１が設けられ、例えば好ましくは底部の後側において組立孔２１を設ける。組立孔２１の内周壁には雌ねじ２２が設けられ、雌ねじ２２により減衰部材３と結合することができる。
【００１５】
再び図１を参照すると、本発明の実施例１において、減衰部材３は略ボルトの形状に形成され、そして減衰部材３はヘッド本体２と同じまたは異なった金属、合金材質により製成され、例えばタングステン、フェロ、ニッケル、チタン、銅およびその合金から選ぶことができ、その中にフェロ合金は同様にステンレス、炭素鋼、合金鋼、フェロ−マンガン−アルミ合金から選ぶことができる。減衰部材３には雄ねじ３１、凹欠部３２、振動吸収部材３３および複数個の解除部３４が設けられる。雄ねじ３１はヘッド本体２の組立孔２１の雌ねじ２２に対応するように設けられる。凹欠部３２は減衰部材３の一端に凹むように設けられる。振動吸収部材３３は例えば凹欠部３２の内部に直接充填したり、或いは予め成型してから凹欠部３２の内部に粘着したりして形成することができる。振動吸収部材３３の材質は例えば振動吸収の効果を有した減衰材質により製成され、例えばエポキシ樹脂（epoxy）、ポリウレタン（polyurethane, PU）、ゴム、熱可塑性弾性材（thermoplastic elastomer）、発泡材、発泡性樹脂、ポリエチレン（polyethylene）、ポリアミド（polyamides）およびその混合物により製成されることができる。さらに、解除部３４の設置により適当なスパナ（図示せず）を利用して減衰部材３を回動させることができる。
【００１６】
図２を参照すると、組立時において適当なスパナを利用して減衰部材３の解除部３４に挿入し、減衰部材３を回動することにより、減衰部材３の雄ねじ３１は段々と組立孔２１の雌ねじ２２に螺設し結合することができる。減衰部材３が組立孔２１の内部に強固に嵌設された後、ヘッド本体２と減衰部材３はゴルフクラブヘッドを組成することができる。この時、ゴルフクラブヘッドを利用してゴルフボール（図示せず）を打球すると、減衰部材３の凹欠部３２の内部の振動吸収部材３３により打球の振動を吸収することができるため、打球の異音を減らすと共に、打球の音声周波を改善することができ、さらに減衰部材３の振動によるゆるみと脱落を相対的に避けることができる。また、減衰部材３の重さを適当に制御することにより、全体の重心の位置（center of gravity, CG）をある程度に調整することができるため、スイングの慣性モーメント（moments of inertia, MOI）を増やすことができる。さらに、減衰部材３には取外自在な構造（雄ねじ３１と解除部３４）が形成されることにより、異なる振動吸収と重りの効果を有した多種類の減衰部材３を迅速に取り換えることができるため、組立の便利性および使用上の自由度を増やすことができる。
【実施例２】
【００１７】
図３を参照すると、本発明の実施例２のゴルフクラブヘッドの振動吸収構造が掲示される。実施例１と比較して、実施例２においてヘッド本体２もウッド型のヘッドからなり、ヘッド本体２の組立孔２１はヘッド本体２の底部のその他の位置に設けられ、例えば好ましくは底部の中央の位置に設けられ、或いは底部においてトウ部（toe）、ヒール部（heel）またはフェース板などに近い位置に適当に設けられることができる。これにより、組立孔２１と減衰部材３は異なった部位の振動吸収性と重さを適当に調整することができるため、異なった製品の振動吸収性と重さの設計の需要性を増やすことができる。
【実施例３】
【００１８】
図４、５を参照すると、本発明の実施例３のゴルフクラブヘッドの振動吸収構造が掲示される。実施例１と比較して、実施例３においてヘッド本体２はアイアン型のヘッドからなり、ヘッド本体２は底部の背面において複数個の組立孔２１が適当に設けられ、組立孔２１の内周壁には雌ねじ２２が設けられ、雌ねじ２２により減衰部材３と結合することができる。減衰部材３にも同様に雄ねじ３１、凹欠部３２、振動吸収部材３３と解除部３４が設けられる。多数組の組立孔２１と減衰部材３を設けることにより、ヘッド本体２は比較的よい設置の自由度を有するため、振動吸収性と全体の重心を調整することができる。
【００１９】
図６、７、８を参照すると、本発明の実施例４、５、６のゴルフクラブヘッドの振動吸収構造が掲示される。実施例１と比較して、実施例４、５、６において減衰部材３にはさらに凹欠部３２の内部において少なくとも一個の重り嵌入部材３５、３５’、３５”が増設される。振動吸収部材３３は少なくとも重り嵌入部材３５、３５’、３５”を部分的に包み埋めるように形成される。さらに重り嵌入部材３５、３５’、３５”の材質は減衰部材３と同じまたは異なった金属、合金材質から選ぶことができる。
【実施例４】
【００２０】
図６を参照すると、実施例４において重り嵌入部材３５の一端は凹欠部３２の内底面に当接するように形成され、さらに他端は振動吸収部材３３の外部まで露出するように形成される。
【実施例５】
【００２１】
図７を参照すると、実施例５において重り嵌入部材３５’は全体的に凹欠部３２の内底面に嵌設され、さらに振動吸収部材３３により完全に包み埋められるように形成される。
【実施例６】
【００２２】
図８を参照すると、実施例６において重り嵌入部材３５”は振動吸収部材３３により完全に包み埋められ、さらに重り嵌入部材３５”は凹欠部３２の内周壁とは接触しないように形成される。
【００２３】
上述した各方式により重り嵌入部材３５、３５’、３５”を設置し、さらに適当な材質を選ぶことにより、異なる振動吸収と重りの効果を有した多種類の減衰部材３を予め製成し、迅速に取り換えて使用することができるため、組立の便利性と使用上の自由度を増やすことができる。
【実施例７】
【００２４】
図９を参照すると、本発明の実施例７のゴルフクラブヘッドの振動吸収構造が掲示される。実施例１と比較して、実施例７において減衰部材３の振動吸収部材３３と重り嵌入部材３５はさらに取外自在な構造に設計される。凹欠部３２の内周壁には雌ねじ３２１が設けられ、振動吸収部材３３の外周壁には対応するように雄ねじ３３１が設けられる。また、重り嵌入部材３５の一端には複数個の解除部３５１が設けられることにより、振動吸収部材３３と重り嵌入部材３５を回動させることができる。これにより、振動吸収部材３３と重り嵌入部材３５は雄ねじ３３１を利用して振動吸収部材３３の凹欠部３２の雌ねじ３２１に螺設し結合することができる。すなわち、同じ減衰部材３をもって異なった振動吸収部材３３と重り嵌入部材３５を選んで結合することにより、減衰部材３の使用量を相対的に減らすことができると共に、組立の便利性および使用上の自由度を増やすことができる。
【産業上の利用可能性】
【００２５】
上述の如く、従来のゴルフクラブヘッドの振動吸収構造によれば、弾性体をヘッド本体に直接結合することによってゆるんだり脱落したりし易くなると共に、重り球体が内部において転がすことによって打球の異音が生じ易いなどの問題点があったが、図１に示す本発明のゴルフクラブヘッドの振動吸収構造によれば、減衰部材３の内部において振動吸収部材３３を設け、さらに重り嵌入部材３５を嵌設することにより、振動吸収の効果を確実に相対的に増やすことができると共に、組立の便利性、組立の信頼性、重りの設置の自由度を高めることができ、さらにゴルフクラブヘッドの打球の音声周波を改善することができる。
【００２６】
本発明は、その精神及び必須の特徴事項から逸脱することなく他のやり方で実施することができる。従って、本明細書に記載した好ましい実施例は例示的なものであり、限定的なものではない。
【図面の簡単な説明】
【００２７】
【図１】本発明の実施例１のゴルフクラブヘッドの振動吸収構造による分解断面図である。
【図２】本発明の実施例１のゴルフクラブヘッドの振動吸収構造による組み立てられた状態の断面図である。
【図３】本発明の実施例２のゴルフクラブヘッドの振動吸収構造による分解断面図である。
【図４】本発明の実施例３のゴルフクラブヘッドの振動吸収構造による分解斜視図である。
【図５】本発明の実施例３のゴルフクラブヘッドの振動吸収構造による組み立てられた状態の断面図である。
【図６】本発明の実施例４のゴルフクラブヘッドの振動吸収構造による分解断面図である。
【図７】本発明の実施例５のゴルフクラブヘッドの振動吸収構造による分解断面図である。
【図８】本発明の実施例６のゴルフクラブヘッドの振動吸収構造による分解断面図である。
【図９】本発明の実施例７のゴルフクラブヘッドの振動吸収構造による分解断面図である。
【符号の説明】
【００２８】
２    ヘッド本体                      ２１    組立孔
２２    雌ねじ                            ３    減衰部材
３１    雄ねじ                          ３２    凹欠部
３２１    雌ねじ                          ３３    振動吸収部材
３３１    雄ねじ                          ３４    解除部
３５    重り嵌入部材                  ３５１    解除部
３５’    重り嵌入部材                  ３５”    重り嵌入部材
【図１】
2006122334.tif 000003
【図２】
2006122334.tif 000004
【図３】
2006122334.tif 000005
【図４】
2006122334.tif 000006
【図５】
2006122334.tif 000007
【図６】
2006122334.tif 000008
【図７】
2006122334.tif 000009
【図８】
2006122334.tif 000010
【図９】
2006122334.tif 000011